(57)【要約】【課題】通信システムにおいて、端末装置３１、３２へコンテンツを提供することを効果的に行う。【解決手段】通信システムは、端末装置３１、３２へのダウンロードの対象としてレコメンドするコンテンツを選択するレコメンド部１０１と、前記端末装置３１、３２へのダウンロードを行うタイミングを決定するための情報を検出する検出部（すきま検出部１１１、１２１、限定通信回線検出部１１２、１２２）と、前記検出部（すきま検出部１１１、１２１、限定通信回線検出部１１２、１２２）により検出された情報に基づいて決定されるタイミングで、前記レコメンド部１０１により選択されたコンテンツのダウンロードを行うダウンロード部１１３、１２３と、を備える。【選択図】図１
2013141145.tif 000002
【特許請求の範囲】
【請求項１】
端末装置へのダウンロードの対象としてレコメンドするコンテンツを選択するレコメンド部と、
前記端末装置へのダウンロードを行うタイミングを決定するための情報を検出する検出部と、
前記検出部により検出された情報に基づいて決定されるタイミングで、前記レコメンド部により選択されたコンテンツのダウンロードを行うダウンロード部と、
を備えることを特徴とする通信システム。
【請求項２】
前記検出部として、コンテンツのダウンロードを行うために使用される通信回線の混雑度に関する情報を検出するすきま検出部を備え、
前記ダウンロード部は、前記すきま検出部により検出された情報に基づいて、あらかじめ定められた条件に基づいて前記混雑度が低いタイミングを、前記端末装置へのダウンロードを行うタイミングとして決定する、
ことを特徴とする請求項１に記載の通信システム。
【請求項３】
前記検出部として、あらかじめ定められた限定的な通信回線を使用する無線通信を前記端末装置により行うことが可能である状態を検出する限定通信回線検出部を備え、
前記ダウンロード部は、前記限定通信回線検出部により前記あらかじめ定められた限定的な通信回線を使用する無線通信を前記端末装置により行うことが可能である状態が検出された情報に基づいて、前記端末装置へのダウンロードを行うタイミングを決定する、
ことを特徴とする請求項１または請求項２に記載の通信システム。
【請求項４】
さらに、前記ダウンロード部により行われるダウンロードが完了した場合に、当該ダウンロードの完了に関する情報をユーザに対して通知するユーザ通知部を備える、
ことを特徴とする請求項１から請求項３のいずれか１項に記載の通信システム。
【請求項５】
前記レコメンド部は、前記端末装置へのダウンロードの対象としてレコメンドするコンテンツの選択結果を更新する、
ことを特徴とする請求項１から請求項４のいずれか１項に記載の通信システム。
【請求項６】
レコメンド部が、端末装置へのダウンロードの対象としてレコメンドするコンテンツを選択し、
検出部が、前記端末装置へのダウンロードを行うタイミングを決定するための情報を検出し、
ダウンロード部が、前記検出部により検出された情報に基づいて決定されるタイミングで、前記レコメンド部により選択されたコンテンツのダウンロードを行う、
ことを特徴とする通信方法。
【請求項７】
レコメンド部が、端末装置へのダウンロードの対象としてレコメンドするコンテンツを選択するステップと、
検出部が、前記端末装置へのダウンロードを行うタイミングを決定するための情報を検出するステップと、
ダウンロード部が、前記検出部により検出された情報に基づいて決定されるタイミングで、前記レコメンド部により選択されたコンテンツのダウンロードを行うステップと、
をコンピュータに実行させるための通信プログラム。
【請求項８】
端末装置へのダウンロードを行うタイミングを決定するための情報を検出する検出部により検出された情報に基づいて決定されるタイミングで、前記端末装置へのダウンロードの対象としてレコメンドするコンテンツを選択するレコメンド部により選択されたコンテンツのダウンロードを行うダウンロード部を備える、
ことを特徴とする前記端末装置である通信装置。
【請求項９】
ネットワーク側から端末装置へのダウンロードを行うタイミングを決定するための情報を検出する検出部により検出された情報に基づいて決定されるタイミングで、前記端末装置へのダウンロードの対象としてレコメンドするコンテンツを選択するレコメンド部により選択されたコンテンツのダウンロードを行うダウンロード部を備える、
ことを特徴とする前記ネットワーク側の通信装置。
【発明の詳細な説明】
【技術分野】
【０００１】
本発明は、通信システム、通信方法、通信プログラムおよび通信装置に関する。
【背景技術】
【０００２】
通信システムにおいて有線または無線の端末装置へコンテンツを提供する場合に使用される代表的な技術の例（第１の技術の例）〜（第３の技術の例）を示す。
【０００３】
（第１の技術の例）として、レコメンド技術について説明する。
インターネット上に溢れる、ファッション、生活用品、本、映画、音楽など、多種多様なコンテンツをユーザによりすべて閲覧して自分に適したものを選択することは不可能である。
そこで、これらの中からユーザの嗜好やニーズに合ったものをユーザに提供するために、各種のレコメンド技術が検討されている。
一例として、非特許文献１では、ユーザ嗜好の個人差と状況差を考慮した映画の推薦（レコメンド）について提案している（非特許文献１参照。）。
【０００４】
（第２の技術の例）として、すきま通信技術について説明する。
無線回線の混雑度に着目してトラフィックオフロードを実現する技術として、時間帯区分単位で混雑度を学習し、混雑度が低い時に通信を行うすきま通信技術が提案されている（例えば、特許文献１参照。）。
【０００５】
（第３の技術の例）として、夜間オフロード技術について説明する。
非特許文献２に係る「Ｍｕｓｉｃ＆Ｖｉｄｅｏチャネル」は、最長１２０分程度の番組（動画番組は、最長６０分程度の番組）を夜間に自動的にダウンロードすることができるサービスである。「音楽」、「ドラマ」、「アニメ」、「映画」、「お笑い」などの約１００番組の中から最大２チャネル分の番組を最初に一度設定するだけで、後は、番組が自動的に更新される（非特許文献２参照。）。
【先行技術文献】
【特許文献】
【０００６】
【特許文献１】特開２０１０−２２６３４２号公報
【非特許文献】
【０００７】
【非特許文献１】小野智弘、黒川茂莉、本村陽一、麻生英樹、「ユーザ嗜好の個人差と状況差を考慮した映画推薦システムの実現と評価」、情報処理学会論文誌、Ｖｏｌ．４９、Ｎｏ．１、ｐ．１３０−１４０、２００８年１月
【非特許文献２】「Ｍｕｓｉｃ＆Ｖｉｄｅｏチャネル」、［ｏｎｌｉｎｅ］、ＮＴＴｄｏｃｏｍｏ、［２０１１年１２月９日検索］、インターネット、＜ＵＲＬ：ｈｔｔｐ：／／ｗｗｗ．ｎｔｔｄｏｃｏｍｏ．ｃｏ．ｊｐ／ｓｅｒｖｉｃｅ／ｅｎｔｅｒｔａｉｎｍｅｎｔ／ｍｕｓｉｃ＿ｖｉｄｅｏ＿ｃｈａｎｎｅｌ＞
【発明の概要】
【発明が解決しようとする課題】
【０００８】
しかしながら、通信システムにおいて端末装置へコンテンツを提供する技術については、さらなる開発が要求されていた。
【０００９】
本発明は、このような事情を考慮してなされたもので、端末装置へコンテンツを提供することを効果的に行うことができる通信システム、通信方法、通信プログラムおよび通信装置を提供することを課題とする。
【課題を解決するための手段】
【００１０】
（１）上記の課題を解決するために、本発明に係る通信システムは、端末装置へのダウンロードの対象としてレコメンドするコンテンツを選択するレコメンド部と、前記端末装置へのダウンロードを行うタイミングを決定するための情報を検出する検出部と、前記検出部により検出された情報に基づいて決定されるタイミングで、前記レコメンド部により選択されたコンテンツのダウンロードを行うダウンロード部と、を備えることを特徴とする。
【００１１】
（２）本発明は、上記した（１）に記載の通信システムにおいて、前記検出部として、コンテンツのダウンロードを行うために使用される通信回線の混雑度に関する情報を検出するすきま検出部を備え、前記ダウンロード部は、前記すきま検出部により検出された情報に基づいて、あらかじめ定められた条件に基づいて前記混雑度が低いタイミングを、前記端末装置へのダウンロードを行うタイミングとして決定する、ことを特徴とする。
【００１２】
（３）本発明は、上記した（１）または上記した（２）に記載の通信システムにおいて、前記検出部として、あらかじめ定められた限定的な通信回線を使用する無線通信を前記端末装置により行うことが可能である状態を検出する限定通信回線検出部を備え、前記ダウンロード部は、前記限定通信回線検出部により前記あらかじめ定められた限定的な通信回線を使用する無線通信を前記端末装置により行うことが可能である状態が検出された情報に基づいて、前記端末装置へのダウンロードを行うタイミングを決定する、ことを特徴とする。
【００１３】
（４）本発明は、上記した（１）から上記した（３）のいずれか１つに記載の通信システムにおいて、さらに、前記ダウンロード部により行われるダウンロードが完了した場合に、当該ダウンロードの完了に関する情報をユーザに対して通知するユーザ通知部を備える、ことを特徴とする。
【００１４】
（５）本発明は、上記した（１）から上記した（４）のいずれか１つに記載の通信システムにおいて、前記レコメンド部は、前記端末装置へのダウンロードの対象としてレコメンドするコンテンツの選択結果を更新する、ことを特徴とする。
【００１５】
（６）上記の課題を解決するために、本発明に係る通信方法は、レコメンド部が、端末装置へのダウンロードの対象としてレコメンドするコンテンツを選択し、検出部が、前記端末装置へのダウンロードを行うタイミングを決定するための情報を検出し、ダウンロード部が、前記検出部により検出された情報に基づいて決定されるタイミングで、前記レコメンド部により選択されたコンテンツのダウンロードを行う、ことを特徴とする。
【００１６】
（７）上記の課題を解決するために、本発明に係る通信プログラムは、レコメンド部が、端末装置へのダウンロードの対象としてレコメンドするコンテンツを選択するステップと、検出部が、前記端末装置へのダウンロードを行うタイミングを決定するための情報を検出するステップと、ダウンロード部が、前記検出部により検出された情報に基づいて決定されるタイミングで、前記レコメンド部により選択されたコンテンツのダウンロードを行うステップと、をコンピュータに実行させるための通信プログラムである。
【００１７】
（８）上記の課題を解決するために、本発明に係る通信装置は、端末装置へのダウンロードを行うタイミングを決定するための情報を検出する検出部により検出された情報に基づいて決定されるタイミングで、前記端末装置へのダウンロードの対象としてレコメンドするコンテンツを選択するレコメンド部により選択されたコンテンツのダウンロードを行うダウンロード部を備える、ことを特徴とする前記端末装置である通信装置である。
【００１８】
（９）上記の課題を解決するために、本発明に係る通信装置は、ネットワーク側から端末装置へのダウンロードを行うタイミングを決定するための情報を検出する検出部により検出された情報に基づいて決定されるタイミングで、前記端末装置へのダウンロードの対象としてレコメンドするコンテンツを選択するレコメンド部により選択されたコンテンツのダウンロードを行うダウンロード部を備える、ことを特徴とする前記ネットワーク側の通信装置。
【発明の効果】
【００１９】
本発明によれば、通信システムにおいて、端末装置へコンテンツを提供することを効果的に行うことができる。
【図面の簡単な説明】
【００２０】
【図１】本発明の一実施形態に係る通信システムの概略的な構成を示すブロック図である。
【図２】本発明の一実施形態に係る通信システムにおける無線通信のセルの概略的な構成を示すブロック図である。
【発明を実施するための形態】
【００２１】
以下、図面を参照し、本発明の実施形態について説明する。
【００２２】
［第１実施形態］
図１は、本発明の一実施形態に係る通信システムの概略的な構成を示すブロック図である。
本実施形態に係る通信システムは、サーバ装置１１と、コンテンツ記憶装置１２と、基地局装置１３と、回線１４と、無線端末装置３１と、有線の端末装置３２と、を備える。
また、図１には、基地局装置１３の無線による通信エリア２１を示してある。
【００２３】
なお、本実施形態では、サーバ装置１１と、コンテンツ記憶装置１２と、基地局装置１３と、無線端末装置３１と、有線の端末装置３２は、それぞれ、通信装置の例である。
【００２４】
ここで、サーバ装置１１と、コンテンツ記憶装置１２と、基地局装置１３と、有線の端末装置３２と、は、回線１４を介して、互いに通信することが可能に接続されている。
回線１４としては、任意のものが用いられてもよく、例えば、ＬＡＮ（Ｌｏｃａｌ  Ａｒｅａ  Ｎｅｔｗｏｒｋ）の回線や、インターネットの回線などを用いることができる。
【００２５】
また、基地局装置１３と、当該基地局装置１３の通信エリア２１に存在する無線端末装置３１とは、互いに無線により通信することが可能に接続される。
回線１４に接続されたサーバ装置１１などと、無線端末装置３１とは、それぞれが基地局装置１３との通信を行うことで、当該基地局装置１３を介して、互いに通信することが可能である。
【００２６】
具体的には、サーバ装置１１と、コンテンツ記憶装置１２と、基地局装置１３と、有線の端末装置３２とは、任意の２つの装置が、回線１４を介して、互いに通信することができる。
また、サーバ装置１１と、コンテンツ記憶装置１２と、有線の端末装置３２とのうちの１つの装置と、無線端末装置３１とは、当該１つの装置が回線１４を介して基地局装置１３と通信するとともに、当該無線端末装置３１が当該基地局装置１３と無線により通信することにより、当該基地局装置１３を中継装置として、互いに通信することができる。
【００２７】
なお、本実施形態では、各装置１１〜１３、３１、３２をそれぞれ１つずつ示すが、各装置１１〜１３、３１、３２について、同様な複数の装置が通信システムに備えられてもよい。
また、コンテンツ記憶装置１２は、例えば、本実施形態に係る通信システムの外部に備えられてもよい。
【００２８】
また、通信システムとしては、例えば、有線の通信システムが用いられてもよく、または、無線の通信システムが用いられてもよく、または、有線の通信と無線の通信との両方を使用する通信システムが用いられてもよい。
例えば、本実施形態に係る通信システムについて、有線の端末装置３２が備えられない構成が用いられてもよく、または、基地局装置１３および無線の端末装置３１が備えられない構成が用いられてもよい。
【００２９】
本実施形態に係る通信システムに備えられる各装置１１〜１３、３１、３２について説明する。
サーバ装置１１は、本実施形態では、ネットワーク側の装置である。
サーバ装置１１は、レコメンド部１０１と、サーバ側ダウンロード部１０２と、を備える。
ここで、サーバ側ダウンロード部１０２については、他の実施形態（第３実施形態）において詳しく説明する。本実施形態（第１実施形態）および第２実施形態では、サーバ装置１１には、サーバ側ダウンロード部１０２が備えられなくてもよい。
【００３０】
レコメンド部１０１は、端末装置３１、３２を使用するユーザの属性データや履歴データなどをベースとして、これらのデータに基づいて、当該ユーザの嗜好やニーズに合ったレコメンドコンテンツ（推薦する対象とするコンテンツ）を選択する。また、レコメンド部１０１は、レコメンドコンテンツの選択結果を該当する端末装置３１、３２（本実施形態では、端末装置３１、３２のダウンロード部１１３、１２３）に通知する。
【００３１】
ここで、ユーザの属性データとしては、様々なデータが用いられてもよく、例えば、ユーザの性別、年齢、ライフスタイルなどのデータを用いることができる。
また、ユーザの履歴データとしては、様々なデータが用いられてもよく、例えば、ユーザが端末装置３１、３２によって利用したコンテンツの履歴（コンテンツ利用履歴）、ユーザが端末装置３１、３２によって評価したコンテンツの履歴（コンテンツ評価履歴）などのデータを用いることができる。
【００３２】
また、レコメンド部１０１は、ユーザの属性データや履歴データなどをベースに当該ユーザの嗜好やニーズに合ったレコメンドコンテンツを選択するだけでなく、例えば、コンテンツのアップロード、削除、修正、あるいは、ランキング順位の変化などに応じて、レコメンドコンテンツの選択結果を、随時、更新することも可能である。この場合、レコメンド部１０１は、レコメンドコンテンツの選択結果を更新すると、その更新結果（更新後におけるレコメンドコンテンツの選択結果）を該当する端末装置３１、３２（本実施形態では、端末装置３１、３２のダウンロード部１１３、１２３）に通知する。
【００３３】
ここで、レコメンドコンテンツの選択結果としては、例えば、レコメンドの対象となるコンテンツを取得（本実施形態では、ダウンロード）するための情報が用いられる。具体例として、レコメンドコンテンツの選択結果としては、レコメンドの対象となるコンテンツが記憶されたコンテンツ記憶装置１２および当該コンテンツを特定する情報（例えば、ＵＲＬの情報など）を用いることができる。
【００３４】
なお、コンテンツをレコメンドする技術（レコメンド技術）については、例えば、公知の様々な技術を利用することもできる。
【００３５】
コンテンツ記憶装置１２は、端末装置３１、３２に提供することが可能な様々なコンテンツを記憶する。
具体例として、コンテンツ記憶装置１２は、インターネットに存在する複数のサイトについて、各サイトのコンテンツを記憶する記憶装置の集合から構成することができる。
ここで、コンテンツとしては、例えば、デジタルのコンテンツが用いられ、様々な内容の情報（データ）が用いられてもよい。
【００３６】
基地局装置１３は、回線１４を介して、サーバ装置１１、コンテンツ記憶装置１２、有線の端末装置３２と通信し、また、無線の回線を介して、無線端末装置３１と通信する。
基地局装置１３は、例えば、自己の通信エリア２１に存在して通信対象とする無線端末装置３１を管理する。
【００３７】
無線端末装置３１は、すきま検出部１１１と、限定通信回線検出部１１２と、ダウンロード部１１３と、ユーザ通知部１１４と、を備える。
ここで、限定通信回線検出部１１２については、他の実施形態（第２実施形態）において詳しく説明する。本実施形態（第１実施形態）では、無線端末装置３１には、限定通信回線検出部１１２が備えられなくてもよい。
【００３８】
すきま検出部１１１は、コンテンツをダウンロードすることに関する通信回線（接続回線）のトラフィックの混雑度を、常時、検出（監視）して（検出間隔については、１秒などの短期から１時間などの長期までパラメータで設定する。）、所定時間単位の混雑度のデータを学習（例えば、検出）し（検出間隔と学習間隔については、「１秒間隔検出による１分間学習などの短期」から「５分間隔検出による１時間学習などの長期」までパラメータで設定する。）、その学習の内容（本実施形態では、所定時間単位の混雑度のデータ）を更新する。
本実施形態では、このような学習の内容（本実施形態では、所定時間単位の混雑度のデータ）が、端末装置３１、３２へのダウンロードを行うタイミングを決定するための情報として用いられる。
【００３９】
ここで、所定時間単位の混雑度における当該所定時間単位としては、様々な長さの時間の単位が用いられてもよく、例えば、１時間の単位、などを用いることができる。
また、コンテンツをダウンロードすることに関する通信回線のトラフィックの混雑度としては、様々な手法で検出されてもよく、例えば、自己（ここでは、無線端末装置３１）とサーバ装置１１との間の通信回線のトラフィックの混雑度を検出する手法、または、自己（ここでは、無線端末装置３１）とコンテンツ記憶装置１２との間の通信回線のトラフィックの混雑度を検出する手法などを用いることができる。
【００４０】
また、コンテンツをダウンロードすることに関する通信回線のトラフィックの混雑度としては、例えば、有線の回線を使用する場合には当該有線の回線のトラフィックの混雑度を検出する手法を用いることができ、また、無線の回線を使用する場合には当該無線の回線のトラフィックの混雑度を検出する手法を用いることができ、また、有線の回線と無線の回線との両方を使用する場合には当該有線の回線と当該無線の回線とのうちの一方または両方のトラフィックの混雑度を検出する手法を用いることができる。
【００４１】
なお、通信回線の混雑度を取得（例えば、学習）して当該混雑度が低いときに通信を行う技術（すきま通信技術）については、例えば、公知の様々な技術を利用することもできる。
ここで、本実施形態では、昼間も夜間も含めて混雑度が低いときに通信を行う構成としたが、他の構成例として、夜間オフロード技術を利用することも可能である。
【００４２】
ダウンロード部１１３は、サーバ装置１１のレコメンド部１０１からレコメンドコンテンツの選択結果の通知を受け取る（受信する）と、すきま検出部１１１により検出された混雑度のデータに基づいて、混雑度が所定値以下である時間帯に、レコメンドされたコンテンツ（当該レコメンドコンテンツの選択結果で指定されたコンテンツ）をダウンロードする。
このダウンロードは、ユーザにより指示されることなく、先行的に自動的に行われる。
【００４３】
また、ダウンロード部１１３は、サーバ装置１１のレコメンド部１０１からレコメンドコンテンツの選択結果の更新の通知を受け取る（受信する）と、すきま検出部１１１により検出された混雑度のデータに基づいて、混雑度が所定値以下である時間帯に、更新後にレコメンドされたコンテンツ（当該レコメンドコンテンツの選択結果の更新で指定されたコンテンツ）をダウンロードする。
このダウンロードは、ユーザにより指示されることなく、先行的に自動的に行われる。
【００４４】
ここで、混雑度に関する所定値としては、様々な値が用いられてもよい。本実施形態では、混雑度に関する所定値は、混雑度が低い時間帯を検出するための条件（あらかじめ定められた条件）として用いられる。
また、ダウンロード部１１３は、例えば、ダウンロードの対象となるコンテンツのデータをコンテンツ記憶装置１２から（サーバ装置１１を介さずに）受信してもよく、または、ダウンロードの対象となるコンテンツのデータをサーバ装置１１を介して受信してもよい。
【００４５】
なお、コンテンツをダウンロードする技術（ダウンロード技術）については、例えば、公知の様々な技術を利用することもできる。
【００４６】
ユーザ通知部１１４は、ダウンロード部１１３により自己（ここでは、無線端末装置３１）へのレコメンドコンテンツの先行ダウンロードが完了した際に、ダウンロードが完了したこと、および、ダウンロードが完了したコンテンツを、自己のＧＵＩ（Ｇｒａｐｈｉｃａｌ  Ｕｓｅｒ  ｉｎｔｅｒｆａｃｅ）などにより、ユーザに通知する。
ここで、ユーザに対して情報を通知する手法としては、例えば、情報を画面に表示して通知する手法ばかりでなく、音声を出力して通知する手法などが用いられてもよい。
また、本実施形態では、ダウンロードの完了に関する情報として、ダウンロードが完了したことを示す情報、および、ダウンロードが完了したコンテンツを示す情報を通知するが、他の構成例として、これらのうちの任意の一方のみの情報を通知してもよく、または、他の情報を通知してもよい。
また、コンテンツを示す情報としては、例えば、項目やリストなどを用いて通知することができる。
【００４７】
有線の端末装置３２は、すきま検出部１２１と、限定通信回線検出部１２２と、ダウンロード部１２３と、ユーザ通知部１２４と、を備える。
ここで、本実施形態では、無線端末装置３１が基地局装置１３を介して回線１４と接続する一方、有線の端末装置３２が直接に回線１４と接続する点を除いては、有線の端末装置３２に備えられる各処理部１２１〜１２４は無線端末装置３１に備えられる各処理部１１１〜１１４と同様な機能を有する。
【００４８】
以上のように、本実施形態に係る通信システムでは、ユーザの属性データや履歴データなどに基づいてユーザの嗜好やニーズに合ったレコメンドコンテンツをレコメンド部１０１により選択し、選択されたコンテンツ（レコメンドコンテンツ）を、すきま検出部１１１、１２１により検出された通信回線の混雑度が低い時間帯のタイミングで、ダウンロード部１１３、１２３により該当する端末装置３１、３２へ先行的にダウンロードする。このように初期的なダウンロードを行う場合に、例えば、レコメンド技術やすきま通信技術を活用することができる。
【００４９】
また、本実施形態に係る通信システムでは、ユーザの嗜好やニーズに合ったレコメンドコンテンツの情報をレコメンド部１０１により、常時、最新の情報に更新することで（更新周期については、１秒などの短期から１時間などの長期までパラメータで設定する。）、情報の最新性を維持し、更新後のコンテンツ（レコメンドコンテンツ）を、すきま検出部１１１、１２１により検出された通信回線の混雑度が低い時間帯のタイミングで、ダウンロード部１１３、１２３により該当する端末装置３１、３２へ先行的にダウンロードする。このように更新後のダウンロードを行う場合に、例えば、レコメンド技術やすきま通信技術を活用することができる。
【００５０】
このように、レコメンドコンテンツの先行的なダウンロードとして、初期的なダウンロードばかりでなく、更新後のダウンロードを行うことも可能である。
【００５１】
また、本実施形態に係る通信システムでは、前記のような各種のダウンロードにおいて、各端末装置３１、３２へのレコメンドコンテンツの先行的なダウンロードが完了した際に、ダウンロードが完了したこと、および、ダウンロードが完了したコンテンツを、ユーザ通知部１１４、１２４により当該各端末装置３１、３２においてユーザへ通知する。
【００５２】
また、本実施形態に係る通信システムでは、前記のような各種のダウンロードを、各端末装置３１、３２の主導で行う。
【００５３】
以上のように、本実施形態に係る通信システムによると、端末装置３１、３２へコンテンツを提供することを効果的に行うことができる。
具体的には、本実施形態に係る通信システムによると、例えば、ダウンロード時間を夜間に限定せずに、トラフィックの混雑度を学習して、混雑度が低い時間帯に適応的にレコメンドコンテンツをダウンロードすることができるため、状況に応じた柔軟な先行ダウンロードが可能であり、トラフィックの分散や平準化を図ることができる。
また、本実施形態に係る通信システムによると、例えば、提供されるコンテンツを常時更新することにより、ユーザの嗜好やニーズに合うだけでなく、常に最新のコンテンツを提供することができる。（ここで、コンテンツの更新周期をすきま検出部１１１、１２１で学習した混雑度に応じて制御することにより、コンテンツ更新に伴うダウンロード量を変えることができる。）
【００５４】
また、本実施形態に係る通信システムによると、例えば、ダウンロード部１１３、１２３により各端末装置３１、３２へのレコメンドコンテンツの先行ダウンロードが完了した際に、ダウンロードが完了したこと、および、ダウンロードが完了したコンテンツを、ユーザ通知部１１４、１２４により当該各端末装置３１、３２のユーザへ通知することにより、ユーザは、最新にダウンロードされたコンテンツを把握することができ、ユーザの利便性を向上させることができる。
【００５５】
ここで、通信システムにおいて有線または無線の端末装置へコンテンツを提供する場合に使用される代表的な技術との比較例（第１の技術との比較例）〜（第３の技術との比較例）を示す。
【００５６】
（第１の技術との比較例）として、レコメンド技術との比較例について説明する。
レコメンド技術では、ユーザの嗜好やニーズに合ったコンテンツを、ユーザに提供することにより、ユーザが自分の嗜好やニーズに合ったコンテンツを探す手間を省くことができ、ユーザが自分の視聴したいコンテンツを閲覧することができる確率を向上させることができる。
しかしながら、従来のレコメンド技術では、ユーザの端末装置３１、３２へコンテンツを提供する際における有線や無線の回線のトラフィックの混雑度を考慮していないため、トラフィックの混雑時には、ユーザの嗜好やニーズに合ったコンテンツを提供することができないという問題があった。
これに対して、本実施形態に係る通信システムでは、このような問題を解決することができる。
【００５７】
（第２の技術との比較例）として、すきま通信技術との比較例について説明する。
すきま通信技術では、通信回線のトラフィックの混雑度を考慮して、混雑度が低い時に通信を行うことにより、時間的なトラフィックオフロードを実現する。
しかしながら、従来のすきま通信技術では、単に、無線帯域の空き時間帯の有効利用活用を実現する技術であり、コンテンツのダウンロードについては検討されていない。
これに対して、本実施形態に係る通信システムでは、コンテンツのダウンロードについても考慮している。
【００５８】
（第３の技術との比較例）として、夜間オフロード技術との比較例について説明する。
夜間オフロード技術では、ユーザが指定したコンテンツを夜間にダウンロードすることにより、非混雑時間帯にコンテンツをダウンロードすることを図り、トラフィックの時間オフロードが可能である。
しかしながら、夜間オフロード技術では、ダウンロードの時間帯を夜間に限定しているため、夜間の時間帯が混雑している場合には、ダウンロードすることができないという問題があった。
これに対して、本実施形態に係る通信システムでは、このような問題を解決することができる。
【００５９】
［第２実施形態］
本実施形態に係る通信システムの概略的な構成は、第１実施形態に係る図１に示されるものと同様である。
このため、本実施形態では、図１に示されるものと同じ符号を用いて説明する。
以下で、本実施形態では、主に、第１実施形態の場合とは異なる構成や動作について詳しく説明する。
【００６０】
図２は、本発明の一実施形態に係る通信システムにおける無線通信のセルの概略的な構成を示すブロック図である。
本実施形態では、例えば、携帯電話公衆網（ネットワーク）を使用する携帯電話システム（一例として、３Ｇ）などのように比較的大きいセル（本実施形態において、大セルと言う）１００１と、Ｗｉ−Ｆｉ（登録商標）ネットワークなどのように比較的小さいセル（本実施形態において、小セルと言う）１０１１−１〜１０１１−５が存在する。
【００６１】
大セル１００１の通信回線は、広いエリアの全てをカバーするのに対して、各小セル１０１１−１〜１０１１−５の通信回線は、当該広いエリアの全てをカバーせずに、それぞれ部分的なエリアをカバーするように設置される。
【００６２】
図２の例では、大セル１００１の中に、複数（図２の例では、５個）の小セル１０１１−１〜１０１１−５が設けられている。
また、図２には、ユーザにより持ち運ばれるなどして移動する無線端末装置１１０１、１１０２を示してある。この無線端末装置１１０１、１１０２は、図１に示される無線端末装置３１に対応するものである。
【００６３】
ここで、図１に示される基地局装置１３を大セル１００１の基地局装置であるとみなすと、基地局装置１３の通信エリア２１が大セル１００１に相当する。
また、図１に示される基地局装置１３を小セル（複数の小セル１０１１−１〜１０１１−５のうちの１つ）の基地局装置であるとみなすと、基地局装置１３の通信エリア２１が当該小セルに相当する。
本実施形態では、大セル１００１ごと、および、小セル１０１１−１〜１０１１−５ごとに、基地局装置が備えられているとする。
【００６４】
本実施形態では、無線端末装置３１は、大セル１００１のシステムの基地局装置との間で無線通信する機能と、小セル１０１１−１〜１０１１−５のシステムの基地局装置との間で無線通信する機能と、を有している。また、無線端末装置３１は、大セル１００１のシステムの基地局装置との間で無線通信する機能と、小セル１０１１−１〜１０１１−５のシステムの基地局装置との間で無線通信する機能と、を切り替えて使用する機能を有している。
【００６５】
本実施形態に係る無線端末装置３１は、限定通信回線検出部１１２を備える。
限定通信回線検出部１１２は、小セル１０１１−１〜１０１１−５の基地局装置との間で当該小セル１０１１−１〜１０１１−５の通信回線（本実施形態において、限定的な通信回線）を使用して無線通信することが可能な状態にあるか否かを判定し、このような状態にあることを検出する。具体例として、限定通信回線検出部１１２は、小セル１０１１−１〜１０１１−５の基地局装置から無線により送信されるあらかじめ定められた信号を受信した場合に、当該小セル１０１１−１〜１０１１−５の通信回線を使用して無線通信することが可能な状態にあると判定し、このような状態にあることを検出する。
本実施形態では、このような判定（検出）の結果が、端末装置３１、３２へのダウンロードを行うタイミングを決定するための情報として用いられる。
【００６６】
本実施形態では、ダウンロード部１１３は、サーバ装置１１のレコメンド部１０１からレコメンドコンテンツの選択結果の通知を受け取る（受信する）と、端末装置３１が小セル１０１１−１〜１０１１−５の基地局装置との間で当該小セル１０１１−１〜１０１１−５の通信回線を使用して無線通信することが可能な状態にあると限定通信回線検出部１１２により検出されたときのタイミングで、当該小セル１０１１−１〜１０１１−５の基地局装置との間で当該小セル１０１１−１〜１０１１−５の通信回線を使用して無線通信することにより、レコメンドされたコンテンツ（当該レコメンドコンテンツの選択結果で指定されたコンテンツ）をダウンロードする。
このダウンロードは、ユーザにより指示されることなく、先行的に自動的に行われる。
【００６７】
また、本実施形態では、ダウンロード部１１３は、サーバ装置１１のレコメンド部１０１からレコメンドコンテンツの選択結果の更新の通知を受け取る（受信する）と、端末装置３１が小セル１０１１−１〜１０１１−５の基地局装置との間で当該小セル１０１１−１〜１０１１−５の通信回線を使用して無線通信することが可能な状態にあると限定通信回線検出部１１２により検出されたときのタイミングで、当該小セル１０１１−１〜１０１１−５の基地局装置との間で当該小セル１０１１−１〜１０１１−５の通信回線を使用して無線通信することにより、更新後にレコメンドされたコンテンツ（当該レコメンドコンテンツの選択結果の更新で指定されたコンテンツ）をダウンロードする。
このダウンロードは、ユーザにより指示されることなく、先行的に自動的に行われる。
【００６８】
ここで、本実施形態では、端末装置３１が小セル１０１１−１〜１０１１−５の基地局装置との間で当該小セル１０１１−１〜１０１１−５の通信回線を使用して無線通信することが可能な状態にあると限定通信回線検出部１１２により検出されたときのタイミングを、ダウンロードを行うタイミングとして決定するが、例えば、このような状態にあると検出されたときから所定の時間が経過したときのタイミングなどのように、他のタイミングを、ダウンロードを行うタイミングとして決定する構成を用いることも可能である。
また、本実施形態では、無線端末装置３１にすきま検出部１１１が備えられなくてもよい。
【００６９】
また、例えば、無線端末装置３１にすきま検出部１１１と限定通信回線検出部１１２との両方を備えて、これらの両方を用いることも可能である。
具体例として、ダウンロード部１１３は、初期的なレコメンドコンテンツまたは更新によるレコメンドコンテンツを、すきま検出部１１１により検出された混雑度のデータに基づいて混雑度が所定値以下である時間帯のタイミングで、または、限定通信回線検出部１１２により小セル１０１１−１〜１０１１−５の基地局装置との間で当該小セル１０１１−１〜１０１１−５の通信回線を使用して無線通信することが可能な状態にあると検出されたときのタイミングで、ダウンロードすることも可能である。一例として、ダウンロード部１１３は、これら２つのタイミングのうちの早い方のタイミングでコンテンツをダウンロードすることができる。
このような構成では、ダウンロード部１１３は、すきま検出部１１１により検出された混雑度のデータに基づいて混雑度が所定値以下である時間帯のタイミングでダウンロードを行う場合には、大セル１００１の通信回線を使用するダウンロードを行い、また、限定通信回線検出部１１２により小セル１０１１−１〜１０１１−５の基地局装置との間で当該小セル１０１１−１〜１０１１−５の通信回線を使用して無線通信することが可能な状態にあると検出されたときのタイミングでダウンロードを行う場合には、小セル１０１１−１〜１０１１−５の通信回線を使用するダウンロードを行う。
【００７０】
以上のように、本実施形態に係る通信システムでは、初期的なレコメンドコンテンツまたは更新によるレコメンドコンテンツを、限定通信回線検出部１１２により小セル１０１１−１〜１０１１−５の基地局装置との間で当該小セル１０１１−１〜１０１１−５の通信回線を使用して無線通信することが可能な状態にあると検出されたときのタイミングで、ダウンロード部１１３により該当する端末装置３１へ先行的にダウンロードする。
【００７１】
以上のように、本実施形態に係る通信システムによると、端末装置３１へコンテンツを提供することを効果的に行うことができる。
具体的には、本実施形態に係る通信システムによると、例えば、大規模なセル（大セル１００１）に比べて小規模なセル（小セル１０１１−１〜１０１１−５）のネットワークを検出して、当該小規模なセルのネットワークを用いて、各種のダウンロードを行うことができる。このように、例えば、Ｗｉ−Ｆｉ（登録商標）オフロードのように、小規模なセルのネットワークへのオフロードを実現することができる。
【００７２】
また、本実施形態に係る通信システムによると、例えば、大規模なセル（大セル１００１）のネットワークを用いたダウンロードと、小規模なセル（小セル１０１１−１〜１０１１−５）のネットワークを用いたダウンロードとの両方を使用することにより、すきま通信技術と、小規模なセルのネットワークへのオフロードと、を組み合わせて使用することもできる。
【００７３】
このように、本実施形態に係る通信システムによると、例えば、広いエリアの全てをカバーする大セル１００１の通信回線ばかりでなく、当該広いエリアの全てをカバーせずにそれぞれ部分的なエリアをカバーする小セル１０１１−１〜１０１１−５の通信回線も活用することにより、コンテンツの先行的なダウンロードに要する時間を短縮することができ、先行ダウンロードを行う無線端末装置３１同士の競合を回避することができる。また、無線端末装置３１と有線の端末装置３２との両方で共通に使用される回線の部分（例えば、有線の回線１４の部分）では、これらの端末装置３１、３２同士の競合を回避することができる。
【００７４】
なお、本実施形態では、無線端末装置３１に限定通信回線検出部１１２を備える場合について示したが、他の構成例として、有線の端末装置３２に同様な機能を有する限定通信回線検出部１２２を備えてもよい。
例えば、有線の端末装置３２が小セル１０１１−１〜１０１１−５の基地局装置との間で当該小セル１０１１−１〜１０１１−５の通信回線を使用して無線通信する機能を有しており、当該有線の端末装置３２がユーザにより持ち運ばれるなどして移動させられるような場合には、当該有線の端末装置３２が小セル１０１１−１〜１０１１−５の範囲内と範囲外とで移動させられることがあり、限定通信回線検出部１２２の機能が有効となり得る。
このような構成では、有線の端末装置３２は、有線の回線１４を介して通信する機能と、小セル１０１１−１〜１０１１−５のシステムの基地局装置との間で無線通信する機能と、を有している。また、有線の端末装置３２は、有線の回線１４を介して通信する機能と、小セル１０１１−１〜１０１１−５のシステムの基地局装置との間で無線通信する機能と、を切り替えて使用する機能を有している。
【００７５】
また、有線の端末装置３２がすきま検出部１２１と限定通信回線検出部１２２との両方を備える場合には、例えば、本実施形態で説明した無線端末装置３１により行われる、大セル１００１の通信回線を使用する無線通信、および、小セル１０１１−１〜１０１１−５の通信回線を使用する無線通信を、それぞれ、有線の端末装置３２により行われる、有線の回線１４を使用する通信、および、小セル１０１１−１〜１０１１−５の通信回線を使用する無線通信へ置き換えて適用することで、有線の端末装置３２の動作を実現することができる。
【００７６】
ここで、比較的大きいセル（大セル）を形成するシステムとしては、例えば、携帯電話システムに限られず、様々なものが用いられてもよい。このように大セルを形成するシステムとして扱うシステムは、例えば、あらかじめ定められる。
また、比較的小さいセル（限定的な通信回線を提供する小セル）を形成するシステムとしては、例えば、Ｗｉ−Ｆｉ（登録商標）ネットワークのシステムに限られず、様々なものが用いられてもよい。このように小セルを形成するシステムとして扱うシステムは、例えば、あらかじめ定められる。
【００７７】
［第３実施形態］
本実施形態に係る通信システムの概略的な構成は、第１実施形態または第２実施形態に係る図１に示されるものと同様である。
このため、本実施形態では、図１に示されるものと同じ符号を用いて説明する。
以下で、本実施形態では、主に、第１実施形態または第２実施形態の場合とは異なる構成や動作について詳しく説明する。
【００７８】
第１実施形態および第２実施形態では、端末装置３１、３２にダウンロード部１１３、１２３を配置して、各端末装置３１、３２が自律分散的にダウンロードを行う構成を示した。
これに対して、本実施形態（第３実施形態）では、ネットワーク側に、端末装置３１、３２へのコンテンツのダウンロードを行うダウンロード部の機能を備える。
【００７９】
一例として、本実施形態では、サーバ装置１１に、ダウンロード部（サーバ側ダウンロード部）１０２を備える。
ここで、本実施形態では、各端末装置３１、３２には、ダウンロード部１１３、１２３は備えられなくてもよい。
また、ネットワーク側のダウンロード部は、本実施形態ではサーバ装置１１に備えられるが、他の構成例として、サーバ装置１１ではなく、コンテンツ記憶装置１２、または、他の任意の装置に備えられてもよい。
【００８０】
本実施形態では、サーバ装置１１のレコメンド部１０１は、端末装置３１、３２を使用するユーザの属性データや履歴データなどをベースとして、これらのデータに基づいて、当該ユーザの嗜好やニーズに合ったレコメンドコンテンツ（推薦する対象とするコンテンツ）を選択する。そして、サーバ装置１１のレコメンド部１０１は、レコメンドコンテンツの選択結果をサーバ側ダウンロード部１０２に通知する。また、サーバ装置１１のレコメンド部１０１は、レコメンドコンテンツの選択結果の更新結果についても、サーバ側ダウンロード部１０２に通知する。
【００８１】
本実施形態では、各端末装置３１、３２のすきま検出部１１１、１２１は、コンテンツをダウンロードすることに関する通信回線（接続回線）のトラフィックの混雑度を、常時、検出（監視）して、所定時間単位の混雑度のデータを学習（例えば、検出）し（検出間隔と学習間隔については、「１秒間隔検出による１分間学習などの短期」から「５分間隔検出による１時間学習などの長期」までパラメータで設定する。）、その学習の内容（本実施形態では、所定時間単位の混雑度のデータ）を更新する。そして、各端末装置３１、３２のすきま検出部１１１、１２１は、このような学習の内容（本実施形態では、所定時間単位の混雑度のデータ）をサーバ装置１１のサーバ側ダウンロード部１０２に通知する。
【００８２】
本実施形態では、各端末装置３１、３２の限定通信回線検出部１１２、１２２は、小セル１０１１−１〜１０１１−５の基地局装置との間で当該小セル１０１１−１〜１０１１−５の通信回線（本実施形態において、限定的な通信回線）を使用して無線通信することが可能な状態にあるか否かを判定し、このような状態にあることを検出する。そして、各端末装置３１、３２の限定通信回線検出部１１２、１２２は、このような判定の結果をサーバ装置１１のサーバ側ダウンロード部１０２に通知する。
【００８３】
ここで、各端末装置３１、３２の限定通信回線検出部１１２、１２２が、このような判定の結果をサーバ装置１１のサーバ側ダウンロード部１０２に通知する態様としては、例えば、小セル１０１１−１〜１０１１−５の基地局装置との間で当該小セル１０１１−１〜１０１１−５の通信回線を使用して無線通信することが可能な状態にあると判定した場合（このような状態にあることを検出した場合）にだけ通知する態様を用いることができ、または、このような状態にあると判定した場合とこのような状態にはないと判定した場合との両方の場合に通知する態様を用いることもできる。
【００８４】
サーバ装置１１のサーバ側ダウンロード部１０２は、レコメンド部１０１から通知された情報（各端末装置３１、３２に対する初期的なレコメンドコンテンツや更新後のレコメンドコンテンツを識別する情報）に基づいて、各端末装置３１、３２へのコンテンツのダウンロードを制御して実行する。
また、サーバ装置１１のサーバ側ダウンロード部１０２は、各端末装置３１、３２のすきま検出部１１１、１２１から通知された情報（混雑度のデータ）と、各端末装置３１、３２の限定通信回線検出部１１２、１２２から通知された情報（小セル１０１１−１〜１０１１−５の通信回線を使用して無線通信することが可能な状態である場合にはそれが把握される情報）とのうちの一方または両方に基づいて、各端末装置３１、３２へのコンテンツのダウンロードを制御して実行する。
【００８５】
ここで、サーバ装置１１のサーバ側ダウンロード部１０２が、各端末装置３１、３２へのコンテンツのダウンロードを制御する態様としては、様々なものが用いられてもよく、例えば、ダウンロードするコンテンツ、ダウンロードの時間帯（タイミング）、複数の端末装置についてダウンロードの順序、ダウンロードに使用する通信回線（例えば、大セル１００１の通信回線、小セル１０１１−１〜１０１１−５の通信回線、有線の回線１４、などのうちのいずれを使用するか）、ダウンロードするコンテンツのデータ量、などのうちの１つ以上を制御することが可能である。
【００８６】
例えば、サーバ装置１１のサーバ側ダウンロード部１０２は、自己（当該サーバ側ダウンロード部１０２）によりダウンロードが制御される対象となるすべての端末装置３１、３２について、初期的なレコメンドコンテンツの状態および更新後のレコメンドコンテンツの状態と、混雑度に関する状態と、小セル１０１１−１〜１０１１−５の通信回線（限定的な通信回線）に関する状態を把握することができる。
サーバ装置１１のサーバ側ダウンロード部１０２は、例えば、混雑度に関する状態と小セル１０１１−１〜１０１１−５の通信回線（限定的な通信回線）に関する状態について情報が収集されたすべての端末装置について、これらの情報に基づいて、いずれの端末装置から順にダウンロードを行うかなどのダウンロード順序を決定することが可能であり、最適化を図ることが可能となる。
【００８７】
一例として、サーバ装置１１のサーバ側ダウンロード部１０２は、全体のレコメンドコンテンツのダウンロードの量とダウンロードの許容量に基づいて、全体のレコメンドコンテンツのダウンロードの量よりもダウンロードの許容量の方が大きい場合（全体のレコメンドコンテンツのダウンロードの量＜ダウンロードの許容量、となる場合）には、コンテンツの更新頻度が高いユーザの端末装置３１、３２を優先させるようにダウンロードの順序を決定して、ダウンロードさせることができる。
【００８８】
ここで、ダウンロードの許容量は、一例として、（式１）のように表すことができる。
【００８９】
ダウンロードの許容量＝ａ×｛１−（混雑度に関する値）｝
＋ｂ×（限定通信回線数）    ・・（式１）
【００９０】
（式１）において、ａおよびｂとしては、それぞれ、任意の値（例えば、正の値）が設定されてもよい。一例として、ａ＝ｂ＝１と設定することができる。
（式１）において、（混雑度に関する値）は、大セル１００１の通信回線を使用する無線通信における通信回線の混雑度に関する値であり、混雑度が高い方が大きい値となり、一例として、０以上で１以下の値となる。この場合、｛１−（混雑度に関する値）｝は、大セル１００１の通信回線を使用する無線通信において、通信回線が空いている量（例えば、割合）を示す。
（式１）において、（限定通信回線数）は、小セル１０１１−１〜１０１１−５の通信回線を使用する無線通信における通信回線の数を示し、一例として、ダウンロードに使用することが可能な小セル１０１１−１〜１０１１−５の通信回線の数を示す。
【００９１】
なお、ダウンロードの許容量は、例えば、（式１）以外の様々な計算式で計算されてもよい。
また、ダウンロードの量や、ダウンロードの許容量としては、例えば、バイト（Ｂｙｔｅｓ）の単位の量を用いることができる。
【００９２】
本実施形態のようにネットワーク側にダウンロード部（本実施形態では、サーバ側ダウンロード部１０２）を備える場合においても、各端末装置３１、３２は、自己（当該各端末装置３１、３２）へのレコメンドコンテンツの先行ダウンロードが完了した際に、それに関する情報をユーザに通知する。
具体例として、各端末装置３１、３２のユーザ通知部１１４、１２４は、自己（当該各端末装置３１、３２）へのレコメンドコンテンツの先行ダウンロードが完了した際に、ダウンロードが完了したこと、および、ダウンロードが完了したコンテンツを、自己のＧＵＩなどにより、ユーザに通知する。
【００９３】
以上のように、本実施形態に係る通信システムでは、各種のダウンロードを、ネットワーク側（本実施形態では、サーバ装置１１）の主導で行う。
【００９４】
以上のように、本実施形態に係る通信システムによると、端末装置３１、３２へコンテンツを提供することを効果的に行うことができる。
具体的には、本実施形態に係る通信システムによると、例えば、ネットワーク側（本実施形態では、サーバ装置１１）によりダウンロードが制御される複数の端末装置３１、３２に関する情報に基づいてダウンロードを制御することができ、複数の端末装置３１、３２に関する全体的な状況に基づいて、各端末装置３１、３２に対する効果的なダウンロードの実現を図ることができる。
【００９５】
また、本実施形態に係る通信システムによると、例えば、提供されるコンテンツを常時更新することにより、ユーザの嗜好やニーズに合うだけでなく、常に最新のコンテンツを提供することができる。（ここで、コンテンツの更新周期をすきま検出部１１１、１２１で学習した混雑度に応じて制御することにより、コンテンツ更新に伴うダウンロード量を変えることができる。）
そして、各端末装置３１、３２のすきま検出部１１１、１２１は、このような学習の内容（本実施形態では、所定時間単位の混雑度のデータ）をサーバ装置１１のサーバ側ダウンロード部１０２に通知する。
【００９６】
［以上の実施形態のまとめ］
ここで、以上の実施形態では、ネットワーク側と端末装置３１、３２の側とに各処理部の機能を配置する構成の幾つかの例を示したが、これに限られず、各処理部の機能は、任意のところに備えられてもよい。
例えば、以上の実施形態（第１実施形態〜第３実施形態）では、ネットワーク側（以上の実施形態では、サーバ装置１１）にレコメンド部１０１を備える構成を示したが、他の構成例として、コンテンツをレコメンドする機能（例えば、レコメンド部１０１と同様なコンテンツのレコメンドを実現する機能）を各端末装置３１、３２に備える構成とすることも可能である。
また、以上の実施形態（第１実施形態〜第３実施形態）では、各端末装置３１、３２にすきま検出部１１１、１２１を備える構成を示したが、他の構成例として、ネットワーク側（例えば、サーバ装置１１）にすきま検出を行う機能（例えば、すきま検出部１１１、１２１と同様なすきま検出を実現する機能）を備える構成とすることも可能である。
また、以上の実施形態（第１実施形態〜第３実施形態）では、各端末装置３１、３２に限定通信回線検出部１１２、１２２を備える構成を示したが、他の構成例として、ネットワーク側（例えば、サーバ装置１１）に限定的な通信回線に関する判定（検出）を行う機能（例えば、限定通信回線検出部１１２、１２２と同様な限定的な通信回線に関する判定（検出）を実現する機能）を備える構成とすることも可能である。
【００９７】
また、端末装置３１、３２としては、様々なものが用いられてもよく、例えば、スマートフォンを含む携帯電話、パーソナルコンピュータ（ＰＣ）、ホームゲートウェイ、専用端末などの端末装置を用いることができる。
【００９８】
以上、本発明の実施形態について図面を参照して詳述したが、具体的な構成はこの実施形態に限られるものではなく、本発明の要旨を逸脱しない範囲の設計変更等も含まれる。
【００９９】
また、以上に示した各実施形態に係る各装置の機能（例えば、サーバ装置１１、各端末装置３１、３２などのうちの１つ以上の装置の機能）を実現するためのプログラムをコンピュータ読み取り可能な記録媒体に記録して、この記録媒体に記録されたプログラムをコンピュータシステムに読み込ませ、実行することにより、処理を行ってもよい。
【０１００】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１０１】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１０２】
１１…サーバ装置、１２…コンテンツ記憶装置、１３…基地局装置、１４…回線、２１…通信エリア、３１…端末装置（無線端末装置）、３２…端末装置（有線の端末装置）、１０１…レコメンド部、１０２…サーバ側ダウンロード部、１１１、１２１…すきま検出部、１１２、１２２…限定通信回線検出部、１１３、１２３…ダウンロード部、１１４、１２４…ユーザ通知部、１００１…セル（大セル）、１０１１−１〜１０１１−５…セル（小セル）、１１０１、１１０２…端末装置
【図１】
2013141145.tif 000003
【図２】
2013141145.tif 000004